(57)【要約】【課題】前後方向の厚みが小さいホームドア装置を提供する。【解決手段】ホームドア装置１Ａは、開口部２２が形成された外装パネル２１Ｆを有する戸袋２０と、戸袋２０の内部に設けられ、戸袋２０を支持する支柱と、支柱に対して前面パネル側を前、その反対側を後とするときに、支柱よりも前又は後で戸袋２０に対して進退する扉１０と、戸袋２０の内部に設けられ、扉１０が戸袋２０に収容された状態で、扉１０よりも前又は後で、支柱と扉１０の進退方向に重なると共に、開口部２２から画像を表示する画面３１が視認可能に配置された画像表示装置３０と、を備える。【選択図】図１
2019026139.tif 000002
【特許請求の範囲】
【請求項１】
開口部が形成された前面パネルを有する戸袋と、
前記戸袋の内部に設けられ、前記戸袋を支持する支柱と、
前記支柱に対して前面パネル側を前、その反対側を後とするときに、前記支柱よりも前又は後で前記戸袋に対して進退する扉と、
前記戸袋の内部に設けられ、前記扉が前記戸袋に収容された状態で、前記扉よりも前又は後で、前記支柱と前記扉の進退方向に重なると共に、前記開口部から画像を表示する画面が視認可能に配置された画像表示装置と、
を備えるホームドア装置。
【請求項２】
前記開口部は、第１透明板によって覆われている、
請求項１に記載のホームドア装置。
【請求項３】
前記扉は、前記支柱よりも前で進退する構成を有し、前記扉が前記戸袋に収容された状態で、前記画面の前に位置する、第２透明板が設けられた窓枠を有する、
請求項１又は２に記載のホームドア装置。
【請求項４】
前記戸袋の内部には、前記扉を進退させる駆動装置が設けられ、
前記駆動装置は、前記支柱と前記扉の進退方向に重なると共に、前記画像表示装置と前記扉の進退方向に重なる、
請求項１から３の何れか１項に記載のホームドア装置。
【発明の詳細な説明】
【技術分野】
【０００１】
本発明はホームドア装置に関する。
【背景技術】
【０００２】
ホームドア装置には、利用者に提供するための、設置場所の案内、広告等の各種情報を表示する画像表示装置を備えるものがある。
【０００３】
例えば、特許文献１には、画像表示装置が戸袋の内部に配置されたホームドア装置が開示されている。特許文献１に記載のホームドア装置では、戸袋が有する前面パネル又は後面パネルに、外部から画像表示装置の画面を視認可能とするための開口が形成されている。そして、この開口から画像表示装置の画面が露出している。ここで、前面とは、ホームドア装置をプラットホーム側を前、鉄道の軌道側を後とした場合の、前側の面である。
【０００４】
一方、特許文献２及び３には、画像表示装置が戸袋の外部に配置されたホームドア装置が開示されている。特許文献２及び３に記載のホームドア装置では、画像表示装置が、前面パネル又は後面パネルの外面に、パネル側と反対側に画面を向けた状態で、配置されている。
【先行技術文献】
【特許文献】
【０００５】
【特許文献１】特開２００９−７８６６１号公報
【特許文献２】特開２０１２−１１６３９１号公報
【特許文献３】特開２０１２−２３２７１１号公報
【発明の概要】
【発明が解決しようとする課題】
【０００６】
特許文献１に記載のホームドア装置では、画像表示装置が、戸袋の内部に設けられた、扉を進退させる駆動装置と前後方向に重なっている。ここで、前後方向とは、前面から後面へ向かう方向のことである。この位置は、戸袋の内部の、扉を収容するスペースとも前後方向に重なっている。このため、特許文献１に記載のホームドア装置では、戸袋の前後方向の厚みが大きい。
【０００７】
特許文献２及び３に記載のホームドア装置では、画像表示装置が、前面パネル又は後面パネルの外部に設けられている。このため、特許文献２及び３に記載のホームドア装置は、画像表示装置の、前後方向の厚みだけ戸袋の厚みが大きい。
【０００８】
本発明は上記の課題を解決するためになされたもので、前後方向の厚みが小さいホームドア装置を提供することを目的とする。
【課題を解決するための手段】
【０００９】
上記の目的を達成するため、本発明に係るホームドア装置は、開口部が形成された前面パネルを有する戸袋と、戸袋の内部に設けられ、戸袋を支持する支柱と、支柱に対して前面パネル側を前、その反対側を後とするときに、支柱よりも前又は後で戸袋に対して進退する扉と、戸袋の内部に設けられ、扉が戸袋に収容された状態で、扉よりも前又は後で、支柱と扉の進退方向に重なると共に、開口部から画像を表示する画面が視認可能に配置された画像表示装置と、を備える。
【発明の効果】
【００１０】
本発明の構成によれば、扉は支柱の前又は後で進退する。このため、戸袋の内部では、支柱に対して扉の進退方向にある空間は、扉が進退する空間として利用されていない。本発明では、この空間に、画像表示装置が配置されているので、戸袋の前後方向の厚みが大きくならない。その結果、ホームドア装置の前後方向の厚みが小さい。
【図面の簡単な説明】
【００１１】
【図１】本発明の実施の形態１に係るホームドア装置の前面図
【図２】図１におけるII−II切断線の断面図
【図３】本発明の実施の形態１に係るホームドア装置において、戸袋から外装パネルを取り外した状態のホームドア装置の前面図
【図４】本発明の実施の形態１に係るホームドア装置が備える戸袋に設けられた駆動装置収納部の前面図
【図５】図４に示すV−V切断線の断面図
【図６】図４に示すVI−VI切断線の断面図
【図７】図２に示す断面図の、扉と戸袋の一部を拡大した断面図
【図８】本発明の実施の形態２に係るホームドア装置において、戸袋から外装パネルを取り外した状態のホームドア装置の前面図
【図９】本発明の実施の形態２に係るホームドア装置が備える戸袋に設けられた駆動装置収納部の拡大図
【図１０】図９に示すX−X切断線の断面図
【図１１】図８に示すXI−XI切断線の断面図
【図１２】本発明の他の実施の形態に係るホームドア装置の斜視図
【図１３】図１２に示すXIII−XIII切断線の断面図
【図１４】本発明の他の実施の形態で使用される駆動装置の前面図
【図１５】図１４に示す駆動装置の斜視図
【発明を実施するための形態】
【００１２】
以下、本発明の実施の形態に係るホームドア装置について図面を参照して詳細に説明する。なお、図中、同一又は同等の部分には同一の符号を付す。図に示す直交座標系ＸＹＺにおいて、プラットホーム側を前面、鉄道の軌道側を後面とした場合の、ホームドア装置の左右方向がＸ軸、上下方向がＺ軸、Ｘ軸とＺ軸とに直交する方向がＹ軸である。以下、適宜、この座標系を引用して説明する。
【００１３】
（実施の形態１）
実施の形態１に係るホームドア装置は、鉄道の駅のプラットホームに設置されるホームドア装置である。このホームドア装置では、前後方向の厚みを小さくするため、戸袋の内部に、列車の運行情報、路線図等の情報を表示する画像表示装置が配置されている。ここで、前後方向とは、上述した前面から後面へ向かう方向である。まず、図１−図３を参照して、ホームドア装置の全体の構成を説明する。続いて、図４−図７を参照して、戸袋の内部に設けられた画像表示装置と扉の駆動装置の配置について説明する。
【００１４】
図１は本発明の実施の形態１に係るホームドア装置１Ａの前面図である。図２は、図１に示すII−II切断線の断面図である。図３は本発明の実施の形態１に係るホームドア装置１Ａにおいて、戸袋２０から外装パネル２１Ｆを取り外した状態のホームドア装置１Ａの前面図である。
図１−図３に示すように、ホームドア装置１Ａは、扉１０と、扉１０を進退可能に保持する戸袋２０と、戸袋２０に設けられた画像表示装置３０と、を備えている。
【００１５】
扉１０は、図１及び図３に示すように、Ｙ方向視矩形状に形成されている。そして、扉１０には、プラットホーム１００側から鉄道の軌道側を、すなわち、ホームドア装置１Ａに対して前面側から後面側を視認可能にするため、強化ガラス板が嵌め込まれた窓枠１１Ａ−１１Ｄが設けられている。窓枠１１Ａ−１１Ｄの詳細な位置は後述する。
【００１６】
これに対して、戸袋２０は、扉１０を収容可能な箱の形状に形成されている。戸袋２０は、扉１０を戸袋２０から進退可能にするため、＋Ｘ端が開口している。そして、戸袋２０の内部には、プラットホーム１００にいる乗降客に各種情報を提供するための画像を表示する画像表示装置３０が収容されている。
【００１７】
画像表示装置３０は、液晶ディスプレイ装置で構成されている。画像表示装置３０は、矩形状に形成され、画像を表示する画面３１を有する。画像表示装置３０は、図示しないコンピュータから送信される画像データに基づいて画面３１に画像を表示する。ここで、画像データは、乗降客に提供する情報を示す画像、例えば、駅構内の案内図、路線図、時刻表、列車の運行情報を示す画像、広告画像等の画像データである。
【００１８】
戸袋２０では、図２に示すように、＋Ｙ側と−Ｙ側とが、外装パネル２１Ｆと２１Ｂによって覆われている。戸袋２０では、前面側から画像表示装置３０の画面３１が視認可能とするため、図１に示すように、外装パネル２１Ｆに開口部２２が形成されている。開口部２２は、画面３１よりも長手方向、短手方向の長さが大きい矩形に形成されている。そして、開口部２２の中心と画面３１の中心とがＹ方向に重なっている。開口部２２は、図２に示すように、画面３１に対して＋Ｙ側に位置している。開口部２２には、図示しない強化ガラスの板が嵌め込まれ、画像表示装置３０の画面３１を保護している。
【００１９】
画像表示装置３０は、図２に示すように、扉１０よりも−Ｙ方向に位置する。このため、扉１０が戸袋２０に収容されたとき、扉１０が画像表示装置３０の＋Ｙ側に位置し、扉１０によって開口部２２が遮蔽されてしまう。そこで、扉１０では、戸袋２０に扉１０が収容されたときに、画像表示装置３０の画面３１を視認可能とする位置に窓枠１１Ａ−１１Ｄが設けられている。詳細には、図１及び図３に示すように、窓枠１１Ａ−１１Ｄは、戸袋２０に扉１０が収容されたときに、窓枠１１Ａ−１１Ｄの少なくともいずれかが開口部２２及び画面３１とＹ方向に重なる位置の、Ｚ方向の定められた位置に形成されている。窓枠１１Ａ−１１Ｄのうちの、少なくとも、戸袋２０に扉１０が収容されたときに開口部２２及び画面３１とＹ方向に重なる位置にある窓枠１１Ａ−１１ＤのＸ方向の長さは、開口部２２のＸ方向の長さよりも大きい。
なお、窓枠１１Ａ−１１Ｄの全てのＸ方向長さは、開口部２２のＸ方向の長さよりも大きくてもよい。画面３１全体を視認可能とするためには、窓枠１１Ａ−１１ＤのＺ方向の長さが、開口部２２及び画面３１のＺ方向の長さよりも大きいことが望ましい。しかしながら、窓枠１１Ａ−１１ＤのＺ方向の長さは、画面３１の一部だけを視認可能とするため、開口部２２及び画面３１のＺ方向の長さよりも小さくてもよい。戸袋２０に扉１０が収容されたときに開口部２２及び画面３１とＹ方向に重なる位置にある窓枠１１Ａ−１１Ｄの大きさが種々の制約で開口部２２及び画面３１の大きさよりも小さく、画面３１の全面を視認できない場合でも、戸袋２０に扉１０が収容されたときに、画像データが画面３１の視認できる範囲に表示される状態に制御され、必要な情報が絞って表示されるとよい。
【００２０】
図２に戻って、戸袋２０の内部では、Ｙ方向の厚みを小さくするため、画像表示装置３０は、扉１０を＋Ｘ又は−Ｘ方向に移動させる駆動装置２３に対して−Ｘ方向に並設されている。詳細には、戸袋２０は、駆動装置２３が収納された駆動装置収納部２００と、画像表示装置３０が収容された画像表示装置収容部２０１と、で構成されている。そして、画像表示装置収容部２０１は、駆動装置収納部２００に対して−Ｘ側に設けられている。なお、画像表示装置収容部２０１の内部空間は、駆動装置収納部２００の内部空間と連通している。次に、これらの各部分での画像表示装置３０、駆動装置２３等の部材の配置について説明する。
【００２１】
図４は、本発明の実施の形態１に係るホームドア装置１Ａが備える戸袋２０に設けられた駆動装置収納部２００の前面図である。図５は、図４に示すV−V切断線の断面図である。図６は、図４に示すVI−VI切断線の断面図である。図７は、図２に示す断面図の、扉１０と戸袋２０の一部を拡大した断面図である。なお、図４では、理解を容易にするため、戸袋２０から外装パネル２１Ｆを取り外した状態を示している。
図４−図７に示すように、駆動装置収納部２００の内部には、Ｚ方向に延在する支柱２４Ａ、２４Ｂと、支柱２４Ａと支柱２４Ｂに架設された梁部材２５Ａ、２５Ｂと、梁部材２５Ａに固定された駆動装置２３と、が配置されている。そして、図５−図７に示すように、駆動装置収納部２００の内部では、扉１０が進退する。
【００２２】
詳細には、図５及び図６に示すように、駆動装置収納部２００内の−Ｙ側の領域、すなわち、後面側の領域に、支柱２４Ａ、２４Ｂと梁部材２５Ａ、２５Ｂが配置されている。
【００２３】
支柱２４Ａ、２４Ｂは、戸袋２０を構成する、外装パネル２１Ｆ、２１Ｂ、上蓋２７、梁部材２５Ａ、２５Ｂを支える部材である。支柱２４Ａ、２４Ｂは、図示しないアンカーによってプラットホーム１００に固定される。
【００２４】
一方、梁部材２５Ａ、２５Ｂは、支柱２４Ａ、２４Ｂと共にフレームを形成して駆動装置２３、制御盤２６等を支持する部材である。梁部材２５Ａ、２５Ｂは、図４に示すように、支柱２４Ａと２４Ｂを連結するため、支柱２４Ａと２４Ｂとの間でＸ方向に延在する。梁部材２５Ａと２５Ｂの間には、空間を有効利用するため、駆動装置２３の動作を制御する制御盤２６が設けられている。
【００２５】
これに対して、駆動装置収納部２００内の＋Ｙ側の領域、すなわち、前面側の領域には、図５及び図６に示すように、駆動装置２３と梁部材２５Ｃが配置されている。そして、この前面側の領域では、駆動装置２３によって扉１０が進退する。
【００２６】
駆動装置２３は、図４に示すように、扉１０の＋Ｘ端と−Ｘ端との間に架設されたベルト２３０と、プーリーが回転軸に設けられると共に、そのプーリーにベルト２３０が巻き付けられたモータ２３１と、ベルトを案内するアイドルプーリー２３２と、で構成される。駆動装置２３では、モータ２３１の回転軸が回転することで、回転軸のプーリーに対してベルト２３０を相対的に移動する。その結果、扉１０がＸ方向に移動される。駆動装置２３は、図５及び図６に示すように、梁部材２５Ａ、２５Ｂの＋Ｙ面に設けられている。
【００２７】
梁部材２５Ａ、２５Ｂの＋Ｙ面には、駆動装置２３に加えて、扉１０を案内する案内体２８Ａ−２８Ｄが設けられている。案内体２８Ａ−２８Ｄの＋Ｚ面には、Ｘ方向へ延在する溝が形成されている。一方、扉１０の−Ｙ面には、窓枠１１Ａ−１１Ｄを形成する直管状の桟部材１２Ａ、１２Ｂと、桟部材１２Ａ、１２Ｂの−Ｚ面に配設され、桟部材１２Ａ、１２Ｂと平行に延在するレール１３Ａ、１３Ｂと、が設けられている。案内体２８Ａ−２８Ｄの溝には、レール１３Ａ、１３Ｂが緩挿されている。これにより、案内体２８Ａ−２８Ｄは、駆動装置２３によって扉１０が駆動されたときに、駆動装置収納部２００内の前面側の領域で、扉１０をＸ方向に沿って移動させる。
【００２８】
梁部材２５Ｃは、戸袋２０の剛性を高めるために設けられている。梁部材２５Ｃは、扉１０への干渉を防ぐため、扉１０に対してＺ側に配置されている。梁部材２５Ｃは、戸袋２０の下部フレームとして機能する。
【００２９】
図１−図３に戻って、駆動装置収納部２００のＸ方向の長さは、扉１０のＸ方向の長さよりも短い。このため、扉１０が戸袋２０に収納された場合、扉１０は、駆動装置収納部２００に加えて、画像表示装置収容部２０１にも収納される。
【００３０】
画像表示装置収容部２０１は、図７に示すように、駆動装置収納部２００とＹ方向の厚み、すなわち前後方向の厚みが同じである。そして、画像表示装置収容部２０１と駆動装置収納部２００は、同じ外装パネル２１Ｆ、２１Ｂによって＋Ｙ面と−Ｙ面とが覆われているため、Ｙ方向に位置が揃えられている。このため、画像表示装置収容部２０１は、駆動装置収納部２００と同様に、前面側の領域の、すなわち、＋Ｙ側の領域に、扉１０が進退する領域を有する（以下、扉進退領域２１１という）。
【００３１】
画像表示装置収容部２０１では、扉進退領域２１１に対する−Ｙ側の領域が扉１０と干渉しないため、この領域に、支柱２４Ｃ、２４Ｄと、画像表示装置３０と、が配置されている。画像表示装置３０は、空間を有効利用するため、支柱２４Ｃと２４Ｄの間に配置されている。
【００３２】
支柱２４Ｃ、２４Ｄは、支柱２４Ａ、２４Ｂと同様に、外装パネル２１Ｆ、２１Ｂ等を支える部材である。支柱２４Ｃと２４Ｄとの間隔は、画像表示装置３０を配置可能にするため、画像表示装置３０のＸ方向の長さよりも大きい。また、支柱２４Ｃ、２４ＤのＹ方向の厚みは、画像表示装置３０のＹ方向の厚みよりも大きい。図示しないが、支柱２４Ｃ、２４Ｄの上に配置された上蓋２７と、支柱２４Ｃ、２４Ｄの下部に配置された梁部材２５Ｄとの間隔は、画像表示装置３０のＺ方向の高さよりも大きい。これにより、支柱２４Ｃと２４Ｄとの間に、画像表示装置３０を収容することができる。その結果、画像表示装置収容部２０１のＹ方向の厚みが大きくならず、画像表示装置収容部２０１内の空間を有効利用することができる。なお、支柱２４Ｃ、２４Ｄの強度を高めるため、扉進退領域２１１に対する−Ｙ側の領域には、下部フレームとして機能する梁部材２５Ｄが設けられる。
【００３３】
次に、ホームドア装置１Ａの動作について説明する。以下の説明では、画像表示装置３０と制御盤２６が駅構内のコンピュータに接続されているものとする。そして、駅構内のコンピュータから画像表示装置３０に画像データが送信され、その画像データの画像が画面３１に表示しているものとする。また、制御盤２６は、駅構内のコンピュータから送信される扉１０の開閉指示信号に基づいて扉１０の進退を行うものとする。プラットホーム１００の−Ｙ側の軌道に列車が停車していないときの、扉１０が＋Ｘ方向に移動して戸袋２０から出ている状態を閉状態とする。
【００３４】
ホームドア装置１Ａは、閉状態のとき、戸袋２０に扉１０の戸尻（すなわち、扉１０の−Ｘ端）だけが収容されている。このため、戸袋２０の開口部２２は、扉１０とＹ方向に位置が重なっていない。その結果、この閉状態では、プラットホーム１００にいる乗降客が、開口部２２を介して、画面３１に表示された画像を視認することができる。
【００３５】
ホームドア装置１Ａが閉状態のときに、列車がプラットホーム１００の−Ｙ側の軌道に停車すると、駅構内のコンピュータが、制御盤２６に開信号を送信する。制御盤２６は、開信号を受信すると、駆動装置２３を動作させて扉１０を−Ｘ方向へ移動させる。これにより、制御盤２６は、扉１０を戸袋２０に収納する。これにより、プラットホーム１００は扉１０が戸袋２０に収納された開状態となる。このとき、戸袋２０の開口部２２は、扉１０とＹ方向に位置が重なる状態になる。扉１０には、窓枠１１Ａ−１１Ｄが形成されているため、この状態でもプラットホーム１００にいる乗降客は、窓枠１１Ａ−１１Ｄのガラス板を介して、画像表示装置３０の画面３１に表示された画像を視認することができる。
【００３６】
その後、列車が発車可能な状態になると、駅構内のコンピュータは、閉信号を制御盤２６に送信する。制御盤２６は、閉信号を受信すると、駆動装置２３を動作させて、戸袋２０に扉１０の戸尻だけが収容された状態になるまで、扉１０を＋Ｘ方向へ移動させる。これにより、ホームドア装置１Ａは閉状態に戻る。
【００３７】
以上のように、実施の形態１に係るホームドア装置１Ａでは、扉１０が支柱２４Ａ−２４Ｄの＋Ｙ側、すなわち、前面側で進退する。このため、支柱２４Ａ−２４Ｄの間、すなわち、支柱２４Ａ−２４Ｄに対してＸ方向の空間が扉１０の進退領域として利用されていない。ホームドア装置１Ａでは、この空間に、画像表示装置３０が配置されているため、支柱２４Ａ−２４Ｄが配置された空間に加えて、Ｙ方向に画像表示装置３０を配置する空間を設ける必要がない。その結果、ホームドア装置１ＡのＹ方向、すなわち、前後方向の厚みが小さい。
【００３８】
また、画像表示装置３０は、駆動装置２３及び制御盤２６に対してＸ方向に配置されている。このため、画像表示装置３０は、駆動装置２３及び制御盤２６とＹ方向に重ならない。その結果、ホームドア装置１ＡのＹ方向の厚みが小さい。
【００３９】
扉１０には、扉１０が戸袋２０に収納された状態で、画像表示装置３０の画面３１とＹ方向に重なる窓枠１１Ａ−１１Ｄが設けられている。このため、ホームドア装置１Ａでは、扉１０が戸袋２０に収納された状態でも、窓枠１１Ａ−１１Ｄのガラス板を介して、画像表示装置３０の画面３１を視認することができる。
【００４０】
（実施の形態２）
実施の形態１に係るホームドア装置１Ａでは、扉１０が支柱２４Ａ−２４Ｄの前面側で進退する。しかし、扉１０は後面側で進退してもよい。実施の形態２に係るホームドア装置１Ｂは、支柱２４Ａ−２４Ｄの後面側、すなわち、−Ｙ側で進退する扉１０を備えている。以下に、図８−図１１を参照して実施の形態２に係るホームドア装置１Ｂの構成について説明する。実施の形態２では、実施の形態１と異なる構成について説明する。
【００４１】
図８は、本発明の実施の形態２に係るホームドア装置１Ｂにおいて、戸袋２０から外装パネル２１Ｆを取り外した状態のホームドア装置の前面図である。図９は、本発明の実施の形態２に係るホームドア装置１Ｂが備える戸袋に設けられた駆動装置収納部２００の拡大図である。図１０は、図９に示すX−X切断線の断面図である。図１１は、図８に示すXI−XI切断線の断面図である。
図８−図１１に示すように、ホームドア装置１Ｂでは、支柱２４Ａ−２４Ｄが戸袋２０内の、鉄道の軌道に対してプラットホーム１００側、すなわち、戸袋２０内の＋Ｙ側の領域に設けられている。そして、図１１に示すように、支柱２４Ｃと２４Ｄとの間には、画像表示装置３０が配置されている。
【００４２】
支柱２４Ａ−２４Ｄは、図示しないアンカーによってプラットホーム１００に固定されている。そして、支柱２４Ａと２４ＢとのＸ方向の間には、図９に示すように、梁部材２５Ａ、２５Ｂが架設され、支柱２４Ａと２４Ｂが補強されている。支柱２４Ａと２４ＢとのＸ方向の間と梁部材２５Ａと２５ＢとのＺ方向の間には、空間の有効利用を図るため、制御盤２６が配置されている。また、支柱２４Ａ−２４Ｄには、図示しない連結部材によって外装パネル２１Ｆ、２１Ｂ、上蓋２７が固定されている。そして、この連結部材及び外装パネル２１Ｂには、駆動装置２３が設けられている。
【００４３】
図９及び図１０に示すように、駆動装置２３は、外装パネル２１Ｂに設けられることで、戸袋２０内の後面側の領域、すなわち、−Ｙ側の領域に配置されている。これにより、駆動装置２３は、戸袋２０内の−Ｙ側の領域で扉１０をＸ方向へ進退させる。
【００４４】
扉１０は、図１０に示すように、実施の形態１に係るホームドア装置１Ａと同様に、桟部材１２Ａ、１２Ｂ及び窓枠１１Ａ−１１Ｄを有する。そして、窓枠１１Ａ−１１Ｄは、梁部材２５ＡとＺ位置が重なっている。ホームドア装置１Ｂでは、扉１０を支柱２４Ａ−２４Ｄの−Ｙ側で進退させるため、ホームドア装置１Ａと同様に、梁部材２５Ａの−Ｙ側に案内体２８Ａ、２８Ｂを設けることで、扉１０を支持することができない。そこで、ホームドア装置１Ｂでは、図９及び図１０に示すように、梁部材２５Ｂの−Ｙ側にだけ、案内体２８Ｃ、２８Ｄを設けている。そして、扉１０の桟部材１２Ｂにだけ、案内体２８Ｃ、２８Ｄに緩挿されるレール１３Ｂを設けている。なお、ホームドア装置１Ｂでは、扉１０の桟部材１２Ａ側がＹ方向に揺れることを防止するため、図示しない揺動防止機構を有する。
【００４５】
画像表示装置３０は、Ｘ方向に進退する扉１０との干渉を防ぐため、支柱２４Ｃと２４ＤとのＸ方向の間に配置されている。そして、画像表示装置３０は、図示しない画面３１を＋Ｙ側に向けた状態で配置されている。なお、画像表示装置３０の形状、大きさ、支柱２４Ｃと２４Ｄの間隔、Ｙ方向の厚みはホームドア装置１Ａと同様である。
【００４６】
一方、支柱２４Ｃ、２４Ｄの＋Ｙ面には、外装パネル２１Ｆが配置されている。外装パネル２１Ｆには、画像表示装置３０の画面３１と同じ形状、大きさ、かつ画面３１とＸＺ平面における位置が同じ開口部２２が形成されている。そして、開口部２２には、強化ガラス板が嵌め込まれている。これにより、画面３１は、開口部２２を介して視認可能である。
【００４７】
ホームドア装置１Ｂの動作は、扉１０が支柱２４Ａ−２４Ｄに対して戸袋２０内の−Ｙ側の領域を進退することを除いて、実施の形態１に係るホームドア装置１Ａと同様である。このため、ホームドア装置１Ｂの動作の説明を省略する。ホームドア装置１Ｂでは、画像表示装置３０が支柱２４Ｃと２４Ｄとの間に位置するため、プラットホーム１００にいる乗降客は、扉１０の進退にかかわらず、常時、外装パネル２１Ｆの開口部２２から、画像表示装置３０の画面を視認することができる。
【００４８】
以上のように、実施の形態２に係るホームドア装置１Ｂでは、画像表示装置３０が支柱２４Ｃ、２４ＤのＸ方向の間に配置されているので、ホームドア装置１ＢのＹ方向の厚みが小さい。
【００４９】
また、扉１０が支柱２４Ａ−２４Ｄに対して−Ｙ側で進退するのに対して、画像表示装置３０が支柱２４Ｃ、２４ＤのＸ方向の間に配置されている。そして、画像表示装置３０の画面３１の＋Ｙ側には、外装パネル２１Ｆの開口部２２が形成されている。このため、ホームドア装置１Ｂでは、扉１０の進退によらず、常時、画面３１を視認することができる。
【００５０】
以上、本発明の実施の形態を説明したが、本発明は上記の実施の形態に限定されるものではない。例えば、実施の形態１及び２では、支柱２４Ｃと２４Ｄとの間に、画像表示装置３０が配置されている。しかし、本発明はこれに限定されない。本発明では、画像表示装置３０は、支柱２４Ａ−２４Ｄに対して扉１０の進退方向、かつ戸袋２０の内部に設けられていればよい。そして、支柱２４Ａ−２４Ｄは、これらのうちの１つ以上であればよい。
【００５１】
図１２は、本発明の他の実施の形態に係るホームドア装置１Ｃの斜視図である。図１３は、図１２に示すXIII−XIII切断線の断面図である。
図１２及び図１３に示すように、画像表示装置３０は、支柱２４Ａと２４Ｂとの間に配置されてもよい。この場合、例えば、扉１０と駆動装置２３は、実施の形態２で説明した位置に配置する。画像表示装置３０は、制御盤２６に対してＸ方向に位置するとよい。これにより、画像表示装置３０と制御盤２６とがＹ方向に重ならないので、ホームドア装置１ＣのＹ方向の厚みを小さくすることができる。
【００５２】
また、実施の形態１及び２では、駆動装置２３が、ベルト２３０、プーリーが回転軸に設けられたモータ２３１、及びアイドルプーリー２３２で構成されているが、駆動装置２３の構成は任意である。
【００５３】
図１４は、本発明の他の実施の形態で使用される駆動装置４３の前面図である。図１５は、図１４に示す駆動装置４３の斜視図である。なお、図１４では、理解を容易にするため、外装パネル２１Ｆ、２１Ｂ及び扉１０を省略している。また、図１５では、駆動装置４３のみを示している。
図１４及び図１５に示すように、駆動装置４３は、モータ４３１と、モータ４３１によって回転される駆動プーリー４３２と、従動プーリー４３３と、駆動プーリー４３２及び従動プーリー４３３に掛け回されたベルト４３４と、で構成されてもよい。この場合、図１４に示すように、モータ４３１は、戸袋２０が有する支柱５１に固定され、従動プーリー４３３は、別の支柱５２に連結部材を介して固定される。そして、ベルト４３４には、扉１０の戸尻に固定するための固定部材４３５が設けられる。駆動装置４３の場合、モータ４３１の回転方向を変えることで、矢印Ａで示される方向に扉１０を進退させることができる。この場合においても、画像表示装置３０は、支柱５１、５２のＸ方向に、すなわち、扉１０の進退方向に設けるとよい。
【００５４】
また、実施の形態１及び２では、扉１０にレール１３Ａ、１３Ｂが設けられ、そのレール１３Ａ、１３Ｂが緩挿される案内体２８Ａ−２８Ｄによって支持されている。しかし、本発明では、扉１０が戸袋２０に対して進退すればよく、扉１０を支持又は案内する部材は任意である。例えば、扉１０にレール１３Ａが１つだけ設けられ、そのレール１３Ａを案内する案内体２８Ａが３つ設けられてもよい。案内体２８Ａ−２８Ｄは、梁部材２５Ａ、２５Ｂに回転軸が固定されたローラーであってもよい。
【００５５】
実施の形態１及び２では、画像表示装置３０が液晶ディスプレイ装置で構成されている。しかし、本発明では、画像を表示できる装置である限り、画像表示装置３０は任意である。例えば、画像表示装置３０はエレクトロルミネッセンスディスプレイ装置であってもよい。
【００５６】
実施の形態１及び２では、外装パネル２１Ｆの開口部２２と、扉１０の窓枠１１Ａ−１１Ｄとに強化ガラス板が嵌め込まれている。しかし、本発明はこれに限定されない。開口部２２と窓枠１１Ａ−１１Ｄには、部材で塞がれる必要はなく、開放されたままであってもよい。部材で塞がれる場合、部材は、画面３１を視認可能とするため、可視光を透過させる透明板であればよい。例えば、部材は、アクリル板であってもよい。なお、本発明では、開口部２２を覆う強化ガラスを第１透明板、扉１０に設けられる強化ガラスを第２透明板ともいう。
【００５７】
本発明は、扉１０が戸袋２０に対して進退するホームドア装置全般に適用可能である。例えば、ホームドア装置１Ａ−１Ｃでは、扉１０が＋Ｘ方向に移動して戸袋２０から進出し、扉１０が−Ｘ方向に移動して戸袋２０に収納されているが、本発明は、ホームドア装置１Ａ−１Ｃと逆方向に進退する扉１０を備えるホームドア装置に適用可能である。また、戸袋２０の両側それぞれから、扉１０が進退する、いわゆる両開きタイプのホームドア装置に適用可能である。つまり、両側の扉１０が戸袋２０内で重ならないホームドア装置に適用可能である。詳細には、２つの扉１０の通過領域が同一線上にある場合は、扉１０を支持する支柱２４Ａ−２４Ｄは扉１０に対してホーム側または軌道側に設置されるので、支柱２４Ａ−２４ＤとＹ方向に重なる位置に画像表示装置３０を配置すればよい。また、両側の扉１０が戸袋２０内で重なる場合、軌道側に設けられた扉１０が進退する戸袋２０の開口付近の支柱２４Ａ−２４Ｄは、軌道側に設けられた扉１０に対してホーム側に設置される。ホーム側に設けられた扉１０が進退する戸袋２０の開口付近の支柱２４Ａ−２４Ｄは、ホーム側に設けられた扉１０に対して軌道側に設置される。そこで、画像表示装置３０をいずれかの支柱２４Ａ−２４Ｄと扉の進退方向に重なる位置に設置すればよい。
【符号の説明】
【００５８】
１Ａ−１Ｃ  ホームドア装置、１０  扉、１１Ａ−１１Ｄ  窓枠、１２Ａ、１２Ｂ  桟部材、１３Ａ、１３Ｂ  レール、２０  戸袋、２１Ｆ、２１Ｂ  外装パネル、２２  開口部、２３  駆動装置、２４Ａ−２４Ｄ  支柱、２５Ａ−２５Ｄ  梁部材、２６  制御盤、２７  上蓋、２８Ａ−２８Ｄ  案内体、３０  画像表示装置、３１  画面、４３  駆動装置、５１、５２  支柱、１００  プラットホーム、２００  駆動装置収納部、２０１  画像表示装置収容部、２１１  扉進退領域、２３０  ベルト、２３１  モータ、２３２  アイドルプーリー、４３１  モータ、４３２  駆動プーリー、４３３  従動プーリー、４３４  ベルト、４３５  固定部材、Ａ  矢印
【図１】
2019026139.tif 000003
【図２】
2019026139.tif 000004
【図３】
2019026139.tif 000005
【図４】
2019026139.tif 000006
【図５】
2019026139.tif 000007
【図６】
2019026139.tif 000008
【図７】
2019026139.tif 000009
【図８】
2019026139.tif 000010
【図９】
2019026139.tif 000011
【図１０】
2019026139.tif 000012
【図１１】
2019026139.tif 000013
【図１２】
2019026139.tif 000014
【図１３】
2019026139.tif 000015
【図１４】
2019026139.tif 000016
【図１５】
2019026139.tif 000017